(57)【要約】【課題】本発明の課題は、作業工程等の撮影計画情報に基づいて撮影を行う画像撮影装置における撮影の指示及び撮影を迅速且つ確実に行えるようにすることである。【解決手段】通話中に入力部22の録音機能に対応するキーが操作されると（S231）、通信制御部28により受信された音声情報が音声指示格納部254に保存される（S232）。この保存された音声情報の再生が指示されると（S233）、音声情報が再生され（S234）、音声情報の再生中にレリーズキーが押下されると（S235）、撮影部27により撮影対象が撮影されて撮影画像情報が記録される（S236）。そして、当該撮影が音声指示に基づくものであることを示すメール本文が作成され（S237）、このメール本文に音声情報及び撮影画像情報が添付され、通信制御部28を介してパーソナルコンピュータ１へ送信され、この撮影画像情報と対応する送信済みフラグが送信済みとされる（S238）。【選択図】      図１０
2008211837.tif 000002
【特許請求の範囲】
【請求項１】
受信した音声情報を保存する手段と、
前記保存した音声情報を再生する手段と、
画像を撮影する撮影手段と、
前記音声情報の再生中に前記撮影手段による撮影が行われたか否か判別する手段と、
前記音声情報の再生中に前記撮影が行われた際に、当該撮影画像が音声指示に基づくものであることを示す情報を作成する手段と、
前記作成された音声指示に基づくものであることを示す情報と前記音声情報の再生中に撮影された撮影画像を送信する送信手段と
を備えたことを特徴とする画像撮影装置。
【請求項２】
前記作成する手段は、撮影画像が音声指示に基づくものであることを示すメール本文を作成することを特徴とする請求項１に記載の画像撮影装置。
【請求項３】
前記送信手段は、更に前記音声情報を管理装置へ送信し、前記管理装置は前記音声情報を文字情報に変換し、その変換された文字情報に対応して前記撮影画像を記憶することを特徴とする請求項１に記載の画像撮影装置。
【請求項４】
画像撮影装置のコンピュータを
受信した音声情報を保存する手段、
前記保存した音声情報を再生する手段、
画像を撮影する撮影手段、
前記音声情報の再生中に前記撮影手段による撮影が行われたか否か判別する手段、
前記音声情報の再生中に前記撮影が行われた際に、当該撮影画像が音声指示に基づくものであることを示す情報を作成する手段、
前記作成された音声指示に基づくものであることを示す情報と前記音声情報の再生中に撮影された撮影画像を送信する送信手段
として機能させるためのプログラム。
【発明の詳細な説明】
【技術分野】
【０００１】
本発明は、一連の作業工程の撮影計画情報を作成して記録する管理装置から一連の撮影計画情報を受信して、撮影計画情報に従って撮影するカメラ付携帯端末等の画像撮影装置及びプログラムに関する。
【背景技術】
【０００２】
一般的に、公共工事等においては、工事現場における作業工程をデジタルカメラ等の撮影装置で記録している。この工事記録写真は、工事施工状況の記録や工事完成後に目視できない箇所の出来形の資料となるもので、施工管理上重要なものの一つとして位置付けられている。この工事記録写真の撮影は、工事の着手に先立ち、工事記録写真撮影計画書を作成し、発注者の承認を得て、撮影計画に従って行われるものである。
【０００３】
このような工事写真等の作業記録写真を撮影するためのデジタルカメラシステムとして、例えば、特許文献１には、コンピュータで入力された撮影情報をデジタルカメラに送信し、デジタルカメラで撮影された画像データと撮影情報をコンピュータに返信し、コンピュータ側で画像データベースを完成させて管理する装置（システム）が提案されている。
【特許文献１】特開２００１−２４９８２号公報
【発明の開示】
【発明が解決しようとする課題】
【０００４】
しかしながら、デジタルカメラとコンピュータとのデータ通信にはＵＳＢ等のケーブルが必要となり、デジタルカメラをコンピュータに接続する手間もあり、しかもデータの取り込みを行うために所定の操作を行う必要があり、面倒であった。
【０００５】
本発明の課題は、作業工程等の撮影計画情報に基づいて撮影を行う画像撮影装置における撮影の指示及び撮影を迅速且つ確実に行えるようにすることである。
【課題を解決するための手段】
【０００６】
本発明の撮影装置は、受信した音声情報を保存する手段と、前記保存した音声情報を再生する手段と、画像を撮影する撮影手段と、前記音声情報の再生中に前記撮影手段による撮影が行われたか否か判別する手段と、前記音声情報の再生中に前記撮影が行われた際に、当該撮影画像が音声指示に基づくものであることを示す情報を作成する手段と、前記作成された音声指示に基づくものであることを示す情報と前記音声情報の再生中に撮影された撮影画像を送信する送信手段とを備えたことを特徴とする。
【発明の効果】
【０００７】
本発明によれば、撮影の指示等を示す音声情報を受信して、これを再生中に撮影を行い、この撮影された画像が音声指示に基づくものであることを示す情報が作成されて、この情報と撮影された撮影画像を送信するので、撮影計画情報等の指示を音声によって受けて、迅速に必要な画像の撮影が可能になり、しかも、撮影された画像がどの撮影指示に基づくものかを確実にすることができる。
【発明を実施するための最良の形態】
【０００８】
以下、図を参照して本発明の実施の形態を詳細に説明する。
まず、構成を説明する。
図１は、本実施の形態における撮影装置（以下、撮影システムと呼ぶ）１００の全体構成を示す図である。
撮影システム１００は、一連の作業工程を構成する各作業工程の撮影を管理するシステムであり、図１に示すようにパーソナルコンピュータ１と携帯電話機２が無線基地局Ａ及びネットワークＮＴを介して相互にデータの送受信が可能なように接続されて構成されるものである。
【０００９】
撮影システム１００で撮影を管理する一連の作業工程はどのようなものであってもよいが、本実施の形態においては、工事の各作業工程の撮影を管理する場合を例にとり説明する。
【００１０】
管理装置としてのパーソナルコンピュータ１は、一連の工事を構成する各作業工程を撮影する際の一連の撮影計画情報を作成、記録し、この撮影計画情報を電子メール（以下、メールと称する）に添付して携帯電話機２に送信し、携帯電話機２から各撮影計画情報及びこの各撮影計画情報に対応する撮影画像情報を受信して、一連の工事を構成する各作業工程の撮影画像情報を分類、管理するものである。
【００１１】
カメラ付携帯端末としての携帯電話機２は、外部の機器と音声通信を行う機能と、メール送受信機能及び撮影機能を有する携帯端末であり、パーソナルコンピュータ１から工事に関する一連の撮影計画情報が添付されたメールを受信し、受信した各撮影計画情報に基づいて撮影された撮影画像情報をその撮影計画情報と対応付け、メールに添付してパーソナルコンピュータ１に送信する。なお、図１には、携帯電話機２を１台として図示しているが、これに限定されるものではない。
【００１２】
ネットワークＮＴは、専用線や既存の一般公衆回線を利用して構築された通信ネットワークであり、ＬＡＮ（Local Area Network）やＷＡＮ（Wide Area Network）等の様々な回線形態を適用することが可能である。ネットワークＮＴには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００１３】
無線基地局Ａは、ネットワークＮＴに接続され、無線基地局Ａが管理するエリア内にある携帯電話機２と、ネットワークＮＴに接続されたパーソナルコンピュータ１との間のデータの送受信を行う。なお、図１には、無線基地局Ａを１台として図示しているが、これに限定されるものではない。
【００１４】
次に、図２を参照して、パーソナルコンピュータ１の内部構成について説明する。
図２は、パーソナルコンピュータ１の機能的構成を示すブロック図である。図２に示すように、パーソナルコンピュータ１は、ＣＰＵ（Central Processing Unit ）１１、入力部１２、表示部１３、ＲＡＭ（Random Access Memory）１４、記録部１５、通信制御部１６等により構成されており、各部はバス１７により接続されている。
【００１５】
ＣＰＵ１１は、記録部１５に記憶されているシステムプログラムを読み出し、ＲＡＭ１４内に形成されたワークメモリに展開し、該システムプログラムに従って各部を制御する。また、ＣＰＵ１１は、記録部１５に記憶されている撮影計画データ作成及びメール送信処理プログラム、メール受信処理プログラム、音声処理プログラム、自動分類記録処理プログラム、メールソフト等の各種処理プログラム、各種アプリケーションプログラムを読み出してワークメモリに展開し、後述する撮影計画データ作成及びメール送信処理（図５参照）、メール受信処理（図１３参照）、音声処理（図１４参照）、自動分類記録処理（図１５参照）を始めとする各種処理を実行し、それらの処理結果をＲＡＭ１４内のワークメモリに記憶すると共に表示部１３に表示させる。そして、ワークメモリに格納した処理結果を記録部１５内の指定の保存先に保存させる。
【００１６】
入力部１２は、文字／英数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ１１出力する。
【００１７】
表示部１３は、ＬＣＤ（Liquid Crystal Display）やＣＲＴ（Cathode Ray Tube）等により構成され、ＣＰＵ１１から入力される表示信号の指示に従って、表示画面上に各種画面を表示する。
【００１８】
ＲＡＭ１４は、バッファとしてＣＰＵ１１により実行されるシステムプログラム、各種処理プログラム、アプリケーションプログラム、各処理において処理中のデータ、処理結果などを一時的に記憶するワークエリアを形成する。例えば、ＲＡＭ１４は、図２に示すように、携帯電話機２から受信されたメールに添付された未分類の撮影画像情報を一時的に格納する未分類画像エリア１４１と、携帯電話機２から受信されたメールに添付された未分類の音声情報を一時的に格納する未分類音声エリア１４２とを有する。
【００１９】
記録部１５は、パーソナルコンピュータ１に対応するシステムプログラム、撮影計画データ作成及びメール送信処理プログラム、メール受信処理プログラム、音声処理プログラム、自動分類記録処理プログラム、メールソフト等の各種処理プログラム、各種アプリケーションプログラム、各種データ等が予め記録されており、この記録部１５は、磁気的、光学的記録媒体、若しくは半導体メモリなどＣＰＵ１１で読み取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、この記録媒体に格納するプログラム、データ等は、その一部若しくは全部をサーバやクライアントからＷＡＮ、ＬＡＮなどのネットワークを介して通信制御部１６から受信する構成にしてもよく、更に、記録媒体はネットワーク上に構築されたサーバやクライアントの記録媒体であってもよい。
【００２０】
また、記録部１５は、後述する撮影計画データ作成及びメール送信処理（図５参照）において工事毎に作成される撮影計画データファイル１５１を記録する。図４に、撮影計画データファイル１５１の一例を示す。撮影計画データファイル１５１は、一連の作業工程に関する一連の撮影計画情報を記録するものであり、図４に示すように、撮影する順番を示すとともに各撮影計画情報を一意的に識別するための識別情報としての「撮影計画番号」と、これに対応する「区分」「工種」、「種別」、「細別」、「タイトル」、「撮影時期」、「撮影場所」、「コメント」「撮影済フラグ」等の項目を有し、撮影対象の工事における各作業工程の撮影計画情報のデータを撮影計画番号に対応付けて格納するデータベースである。この撮影計画データファイル１５１は、工事毎に作成されるものであり、そのヘッダには、工事を一意的に識別するための「工事番号」、「工事件名」、「発注年度」等の工事情報や、「発注者名（省庁名、局名）」等の発注者情報、「支社名」「請負者の正式名称」等の請負者情報等のデータが格納される。
【００２１】
また、記録部１５は、キーワードとなる文字情報と撮影計画情報に使用される「区分」「工種」「種別」の組み合わせとを対応付けて格納するキーワードファイル１５２を記録している。キーワードファイル１５２は、キーワードとなる文字情報が表す撮影対象が撮影される工事の作業工程の「区分」「工種」「種別」の組み合わせを経験的に割り出した結果に基づいて作成されたファイルである。更に、記録部１５は、携帯電話機２から受信された撮影画像情報及び音声情報を記録、格納する画像・音声格納部１５３を有している。
【００２２】
通信制御部１６は、外部機器との通信を行うためのネットワークカードなどにより構成され、ネットワークＮＴに接続された機器と通信を行う。
【００２３】
次に、図３を参照して、携帯電話機２について説明する。
図３は、携帯電話機２の機能的構成を示すブロック図である。図３に示すように、携帯電話機２は、ＣＰＵ２１、入力部２２、表示部２３、ＲＡＭ２４、記録部２５、音声入出力部２６、撮影部２７、通信制御部２８等により構成され、各部はバス２９により接続されている。
【００２４】
ＣＰＵ２１は、記録部２５に記憶されているシステムプログラムを読み出し、ＲＡＭ２４内に形成されたワークメモリに展開し、該システムプログラムに従って各部を制御する。また、ＣＰＵ２１は、記録部２５に記憶されている撮影計画追加処理プログラム、撮影処理プログラム、音声指示に従った撮影処理プログラム、メール作成送信処理等の各種処理プログラムやメールソフト等のアプリケーションプログラムを読み出してワークメモリに展開し、後述する撮影計画追加処理（図７参照）、撮影処理（図８参照）音声指示に従った撮影処理（図１０参照）、メール作成送信処理（図１１参照）を始めとする各種処理を実行し、それらの処理結果をＲＡＭ２４内のワークメモリに記憶すると共に表示部２３に表示させる。そして、ワークメモリに格納した処理結果を記録部２５内の指定の保存先に保存させる。
【００２５】
入力部２２は、カーソルキー、文字／数字キー、各種機能キー等を有し、そのキー操作による押下信号をＣＰＵ２１に出力する。
【００２６】
表示部２３は、ＬＣＤパネル等により構成され、ＣＰＵ２１から入力される表示データに基づいて画面表示を行う。
【００２７】
ＲＡＭ２４は、バッファとして各種プログラムや処理中のデータ、処理結果などを一時的に記憶するワークエリアを形成する。例えば、ＲＡＭ２４は、現在撮影中の工事を識別するための工事番号を格納するための現在工事番号格納エリア２４１を有している。
【００２８】
記録部２５は、フラッシュメモリなどの不揮発メモリ等により構成され、携帯電話機２に対応するシステムプログラム、及び該システムプログラム上で実行可能な各種処理プログラム、アプリケーションプログラム及びこれらのプログラムで処理されたデータ等を記録する。
【００２９】
記録部２５は、パーソナルコンピュータ１から受信された撮影計画データファイルを撮影計画データファイル２５１として記録する。また、記録部２５は、撮影された撮影画像情報を工事番号毎のフォルダに記録、格納する撮影画像格納部２５２、音声入力されたコメントの音声情報を工事番号毎のフォルダに記録、格納する音声コメント格納部２５３及び通話により得られた音声指示の音声情報を記録、格納する音声指示格納部２５４を有している。
【００３０】
音声入出力部２６は、マイク、スピーカ、増幅器、Ａ／Ｄ変換部、及びＤ／Ａ変換部等を有し、マイクから入力されるユーザの音声信号をデジタル音声情報に変換し、その音声情報をＣＰＵ２１に出力するとともに、受話中にＣＰＵ２１から入力される音声情報や、着信音、操作確認音等の音声情報をアナログの音声信号に変換して増幅し、スピーカから出力する。
【００３１】
撮影部２７は、ガラス又はプラスチックからなる光学レンズ、及びＣＣＤ（Charge Coupled Diode）やＣＭＯＳ（Complementary Metal Oxide Semiconductor）等の撮像素子、Ａ／Ｄ変換器等により構成され、光学レンズを介して入力される画像を撮像素子で電気信号に変換し、更にＡ／Ｄ変換してデジタルの撮影画像情報を生成する。撮影部２７は、入力部２２のレリーズキー（シャッターキー、以下同様）が押下されると、被写体の撮影を実行する。
【００３２】
無線通信部２８は、アンテナ２８１を含む無線通信部で構成され、ＣＰＵ２１から入力される指示に従って、無線基地局Ａを介してネットワークＮＴ上の各機器と各種情報を送受信する。
【００３３】
次に、本実施の形態の動作について説明する。
＜撮影計画データ作成及びメール送信処理＞
図５は、パーソナルコンピュータ１のＣＰＵ１１により実行される撮影計画データ作成及びメール送信処理を示すフローチャートである。以下、図５を参照して、パーソナルコンピュータ１のＣＰＵ１１により実行される撮影計画データ作成及びメール送信処理について説明する。当該処理は、入力部１２から撮影計画の作成が指示された際に実行される処理である。
【００３４】
まず、表示部１３に、図６に示す撮影計画データ作成画面１３１が表示される（ステップＳ１０１）。この撮影計画データ作成画面１３１のヘッダ情報入力領域１３１ａからヘッダ情報（「工事件名」、「工事番号」、「発注年度」等）が入力され（ステップＳ１０２）、撮影計画情報入力領域１３１ｂから、撮影対象となる工事の各作業工程に関する撮影計画情報（例えば、「区分」、「工種」、「種別」、「細別」「タイトル」、「撮影時期」、「撮影場所」、「コメント」等）が撮影する順番に入力され（ステップＳ１０３）、撮影対象となる工事の全ての撮影計画情報の入力が終了して「確定」ボタンが押下されると（ステップＳ１０４；ＹＥＳ）、入力された情報に基づいて撮影計画データファイル１５１（図４参照）が作成され、記録部１５に記録される（ステップＳ１０５）。撮影計画データファイル１５１において、入力されたヘッダ情報はヘッダ領域に格納され、入力された撮影計画情報は項目に従って格納される。撮影計画番号の項目には、入力された順番を示す情報が格納される。次いで、撮影計画データファイル１５１が添付されたメールが作成され（ステップＳ１０６）、通信制御部１６により作成されたメールが携帯電話機２に送信され（ステップＳ１０７）、本処理は終了する。
【００３５】
この撮影計画データファイル１５１は、例えば、国土交通省により定められた基準書に基づいて作成されるものである。積算データやＣＡＤデータ等、工事計画時に作成されたデータから撮影計画に必要なデータを抽出し、抽出されたデータに基づいて撮影計画データファイル１５１を作成するようにしてもよい。また、撮影対象物や場所の設計図や写真等の画像データ、図形データを入力して撮影計画情報と対応付けて撮影計画データファイル１５１に格納し、画像データ、図形データを含む撮影計画データファイル１５１を携帯電話機２に送信し、携帯電話機２の表示画面上にこれらの画像を表示するようにしてもよい。
【００３６】
また、工事内容や使用する部材の変更等が予測される作業工程等、工事現場の状況に関するコメントを音声入力しておく必要がある作業工程には、撮影計画情報入力領域１３１ｂのコメント欄から「音声コメント要」等を入力しておくことにより、携帯電話機２において音声コメントの入力をする必要のある作業工程を識別させることが可能となる。
【００３７】
パーソナルコンピュータ１からのメールを受信すると、携帯電話機２においては、受信したメールに添付された撮影計画データファイルが撮影計画データファイル２５１として記録部２５に記録される。撮影計画データファイル２５１は、パーソナルコンピュータ１から送信されるメールに応じて複数記録されることもある。また、パーソナルコンピュータ１からのメールを受信した際に、携帯電話機２において撮影計画データファイルが添付されたメールの受信であるか否かを判別し、撮影計画データファイルが添付されたメールの受信であれば、そのことを報知すると共に、撮影計画メニューを含むメニュー画面を表示部２３に表示させ、ユーザが撮影計画メニューを選択すれば後述する撮影処理を実行するようにしてもよい。
【００３８】
＜撮影計画追加処理＞
撮影計画データファイル２５１を記録した携帯電話機２においては、工事現場で突発的に発生した撮影計画に応じて撮影計画情報を作成し、撮影計画データファイル２５１に追加することが可能である。
図７は、携帯電話機２のＣＰＵ２１により実行される撮影計画追加処理を示すフローチャートである。以下、図７を参照して撮影計画追加処理について説明する。当該処理は、携帯電話機２の表示部２３に表示されたメニュー画面から撮影計画追加メニューが選択されることにより実行される処理である。
【００３９】
まず、記録部２５に記録された各撮影計画データファイル２５１のヘッダ情報から工事件名がそれぞれ抽出され、表示部２３に工事件名一覧画面が表示される（ステップＳ２０１）。工事件名一覧画面から入力部２２のカーソルキーにより工事件名が選択されると（ステップＳ２０２）、表示部２３に撮影計画データ追加画面が表示され（ステップＳ２０３）、当該画面の項目に従って、入力部１２の文字／数字キーにより撮影計画情報が入力されると（ステップＳ２０４）、入力された撮影計画情報が選択された工事件名に応じた撮影計画データファイル２５１に追加される（ステップＳ２０５）。撮影計画データ追加画面の入力項目は、図６に示す撮影計画データ作成画面１３１の撮影計画情報入力領域１３１ｂと同様の項目である。ただし、携帯電話機２は、表示画面が小さいので、１つの撮影計画データ追加画面からは１つの撮影計画情報の入力が可能となっており、表示画面上の「次頁」表示に対応する次頁キーの操作等により次の撮影計画情報を入力するための撮影計画データ追加画面が表示される。撮影計画番号には、選択された工事件名に対応する撮影計画データファイル２５１に格納されている最終の撮影計画番号に１を加算した数値が自動設定される。
【００４０】
追加したい全ての撮影計画情報の入力が終了するまで、ステップＳ２０４〜２０５が繰り返し実行される。追加したい全ての撮影計画情報の入力が終了した場合は（ステップＳ２０６；ＹＥＳ）、本処理は終了する。
【００４１】
なお、携帯電話機２の撮影計画データ追加画面においても、コメント欄から「音声コメント要」等を入力しておくことにより、撮影時に、携帯電話機２において音声入力をする必要のある作業工程を識別させることが可能となる。
【００４２】
また、携帯電話機２において、撮影計画情報を修正することも可能である。修正は、下記の手順により実施される。
【００４３】
携帯電話機２の表示部２３に表示されたメニュー画面から撮影計画修正メニューが選択されると、記録部２５に記録された各撮影計画データファイル２５１のヘッダ情報から工事件名がそれぞれ抽出され、表示部２３に工事件名一覧画面が表示され、入力部２２のカーソルキーにより工事件名が選択されると、表示部２３に撮影番号順に撮影計画情報のタイトルを一覧表示したタイトル一覧画面が表示され、入力部２２のカーソルキーにより撮影計画情報のタイトルが選択されると、選択されたタイトルに対応する撮影計画情報の修正画面が表示される。この修正画面から撮影計画情報の修正入力行うと、選択された工事件名に対応する撮影計画データファイル２５１が修正される。
【００４４】
作業の現場において、事前に音声によるコメント入力が必要となった場合には、この修正画面からコメント欄に「音声コメント要」等を入力しておくことにより、撮影時に、携帯電話機２において音声によるコメント入力をする必要のある作業工程を識別させることが可能となる。
【００４５】
＜撮影処理＞
図８は、携帯電話機２のＣＰＵ２１により実行される撮影処理を示すフローチャートである。以下、図８を参照して、携帯電話機２のＣＰＵ２１により実行される撮影処理について説明する。当該処理は、携帯電話機２の表示部２３に表示されたメニュー画面から撮影計画メニューが選択されることにより実行される処理である。即ち、撮影計画メニューが選択されることにより携帯電話機２は電話機能を有する装置から、工事写真を撮影する機能を有した装置に切り替わる。
【００４６】
まず、記録部２５に記録された各撮影計画データファイル２５１のヘッダ情報から工事件名がそれぞれ抽出され、表示部２３に工事件名一覧画面２３１が表示される（ステップＳ２１１）。図９（ａ）に、工事件名一覧画面２３１の一例を示す。全ての作業工程の撮影が終了している場合には「済」欄にマークが付されて表示される。
【００４７】
入力部２２のカーソルキーにより工事件名が選択されると（ステップＳ２１２）、表示部２３に撮影番号順に撮影計画情報のタイトルを一覧表示したタイトル一覧画面２３２が表示される（ステップＳ２１３）。図９（ｂ）に、タイトル一覧画面２３２の一例を示す。撮影が終了している作業工程については「済」欄にマークが付されて表示される。
【００４８】
入力部２２のカーソルキーにより撮影計画情報のタイトルが選択されると（ステップＳ２１４）、選択されたタイトルに対応する撮影計画情報が表示される（ステップＳ２１５）。ここで、事前にコメント欄に「音声入力要」等のコメントが入力されていれば、撮影者は、この撮影計画情報に対応する作業工程が現場の状況を音声入力する必要のある工程であることを認識することが可能となる。
【００４９】
次いで、レリーズキーの押下が待機され（ステップＳ２１６、図示はしないが待機中に解除キーが操作されればステップＳ２１３に戻ることとする）、レリーズキーが押下されると（ステップＳ２１６；ＹＥＳ）、撮影部２７により撮影対象が撮影されて撮影画像情報が記録される（ステップＳ２１７）。音声コメントの入力が指示された場合は（Ｓ２１８；ＹＥＳ）、音声入出力部２６のマイクから入力される音声が録音（記録）される（ステップＳ２１９）。そして、表示されている撮影計画情報と入力された撮影画像情報及び音声情報とが対応付けられ、撮影画像情報は撮影画像格納部２５２に、音声情報は音声コメント格納部２５３に記録、格納される（ステップＳ２２０）。具体的には、撮影画像情報及び音声情報はそれぞれ１ファイルとして記録され、各ファイルの所定領域（例えば、ヘッダ領域。以下、ヘッダ領域に格納するものとして説明する。）には、当該撮影計画情報の工事番号及び撮影計画番号が記録される。これにより、各ファイルは撮影計画情報と対応付けられる。また、撮影を行った撮影計画データファイル２５１の当該撮影計画情報の撮影済みフラグ領域には「済」情報が付加される（ステップＳ２２１）。
【００５０】
撮影後、全ての作業工程の撮影が終了したか否かが確認され、終了していなければ（ステップＳ２２２；ＮＯ）、処理はステップＳ２２３に進んで次の撮影計画番号のタイトル一覧表示を行なう。この場合、図９（ｂ）に示したタイトル一覧画面２３２に示す最終行「地中電線路／標杭」まで終了すると、次の撮影計画番号の「地中電線路／埋設」が最終行に表示され、先頭行の「給水／根切・布設」が消去されるよう画面が上スクロールされる。また、タイトル一覧表示に無い撮影計画番号のタイトルを表示したい場合はスクロールキーによってタイトル一覧画面をスクロールする。この後ステップＳ２１４に戻り、ステップＳ２１４〜Ｓ２２２が繰り返し実行される。そして、全ての作業工程の撮影が終了した場合は（ステップＳ２２２；ＹＥＳ）、本処理は終了する。
【００５１】
＜音声指示に従った撮影処理＞
また、例えば、工事を統括する本部等から、工事の最中に携帯電話機２の音声通信で撮影の指示が伝達される場合がある。このような場合に、音声を保存して音声に従って撮影を行うことが可能である。
【００５２】
図１０は、携帯電話機２のＣＰＵ２１により実行される音声指示に従った撮影処理のフローチャートである。以下、図１０を参照して音声指示に従った撮影処理について説明する。
【００５３】
通話中に入力部２２の録音機能に対応するキーが操作されると（ステップＳ２３１）、通信制御部２８により受信された音声情報が音声指示格納部２５４に保存される（ステップＳ２３２）。この音声情報はファイルとして保存され、ヘッダ領域には、現在工事番号格納エリア２４１に格納されている工事番号が格納される。入力部２２によりこの保存された音声情報の再生が指示されると（ステップＳ２３３；ＹＥＳ）、音声情報が再生され（ステップＳ２３４）、音声情報の再生中にレリーズキーが押下されると（ステップＳ２３５；ＹＥＳ）、撮影部２７により撮影対象が撮影されて撮影画像情報が記録される（ステップＳ２３６）。この音声情報はファイルとして記録され、ヘッダ領域には、現在工事番号格納エリア２４１に格納されている工事番号が格納される。そして、所定の形式により当該撮影が音声指示に基づくものであることを示すメール本文が作成され（ステップＳ２３７）、このメール本文に音声情報及び撮影画像情報が添付され、通信制御部２８を介してパーソナルコンピュータ１へ送信され、この撮影画像情報と対応する送信済みフラグが送信済みとされる（ステップＳ２３８）。
【００５４】
＜メール作成送信処理＞
一連の作業工程の撮影の終了後、携帯電話機２においては、撮影画像情報を添付したメールが作成され、パーソナルコンピュータ１へ送信される。図１１は、ＣＰＵ２１により実行されるメール作成送信処理のフローチャートである。以下、図１１を参照してメール作成送信処理について説明する。当該処理は、携帯電話機２の入力部２２から撮影計画に基づく撮影計画情報の送信が指示されることにより実行される処理である。
【００５５】
まず、ＲＡＭ２４の現在工事番号格納エリア２４１に格納されている現在撮影を行っている工事の工事番号が参照され、撮影画像格納部２５２の当該工事番号に対応するフォルダ内の撮影画像情報のファイル数Ｎがカウントされる（ステップＳ２４１）。また、カウンタｎに初期値１が格納される（ステップＳ２４２）。
【００５６】
次いで、工事番号に対応する撮影計画データファイル２５１から、撮影画像格納部２５２の当該工事番号のフォルダにｎ番目に格納されている撮影画像情報のヘッダ領域に格納されている撮影計画番号に対応する撮影計画情報が取得され（ステップＳ２４３）、取得された撮影計画情報に対応する撮影画像情報が既に送信済みであるか否かが判断される。取得された撮影計画情報に送信済みフラグが対応付けられており、当該撮影計画情報に対応する撮影画像情報が送信済みである場合（ステップＳ２４４；ＹＥＳ）、処理はステップＳ２５０に移行する。
【００５７】
一方、取得された撮影計画情報に送信済みフラグが対応付けられておらず、当該撮影計画情報に対応する撮影画像情報が未送信である場合（ステップＳ２４４；ＮＯ）、当該撮影画像情報に音声コメントが対応付けられているか否かが判断され（ステップＳ２４５）、対応付けられている場合には、その音声コメントの音声情報が音声コメント格納部２５３から取得される（ステップＳ２４６）。
【００５８】
次いで、当該撮影計画情報に基づいて、所定の形式でメール本文が作成される（ステップＳ２４７）。メール本文の内容は、例えば、工事番号及び撮影計画情報の区分、工種、種別、細別等、当該メールを読んで添付されている撮影画像情報がどのような作業工程を撮影したものであるかを判別できるものであればよい。図１２に、ステップＳ２４７で作成されるメール本文の一例を示す。
【００５９】
メール本文が作成されると、撮影計画情報及び撮影画像情報、音声コメントがある場合には撮影計画情報、撮影画像情報及び音声コメントの音声情報が作成されたメール本文に添付され、送信フォルダへ格納され（ステップＳ２４８）、撮影計画情報に送信済みフラグが付加され（ステップＳ２４９）、処理はステップＳ２５０に移行する。
【００６０】
ステップＳ２５０においては、カウンタｎがインクリメントされ（ステップＳ２５０）、ｎ＞Ｎでない場合、即ち、ｎがフォルダに格納されている撮影画像情報のファイル数を超えない場合は（ステップＳ２５１；ＮＯ）、処理はステップＳ２４３に戻り、ステップＳ２４３〜２５１が繰り返し実行される。ｎがフォルダに格納されている撮影画像情報のファイル数を超えると（ステップＳ２５１；ＹＥＳ）、通信制御部２９により送信フォルダ内のメールデータがパーソナルコンピュータ１へ送信され（ステップＳ２５２）、本処理は終了する。
【００６１】
＜メール受信処理＞
図１３は、パーソナルコンピュータ１のＣＰＵ１１により実行されるメール受信処理のフローチャートである。以下、図１３を参照してメール受信処理について説明する。当該処理は、所定時間毎に実行される処理である。
【００６２】
まず、通信制御部１６を介して新着メールが受信されているか否かが判断され（ステップＳ１１１）、新着メールが受信されていない場合は（ステップＳ１１１；ＮＯ）、本処理は終了する。新着メールが受信されている場合は（ステップＳ１１１；ＹＥＳ）、受信されている新着メールの内容が判別され、受信された新着メールが工事の撮影に関するメールであるか否かが判断される（ステップＳ１１２）。即ち、受信された新着メールの本文が、図１０のステップＳ２３７で作成された音声指示による撮影画像の添付を示すメール、もしくは図１１のステップＳ２４７で作成された撮影計画情報の内容を示すメールである場合は、工事の撮影に関するメールであると判断される。
【００６３】
受信された新着メールが工事の撮影に関するメールではない場合（ステップＳ１１２；ＮＯ）、通常のメール受信処理が行われ（ステップＳ１１３）、本処理は終了する。即ち、受信されたメールが受信フォルダに格納される。
【００６４】
受信された新着メールが工事の撮影に関するメールであり（ステップＳ１１２；ＹＥＳ）、かつ当該メールが音声指示による撮影画像情報の添付を示すメールである場合（ステップＳ１１４；ＹＥＳ）、音声指示により撮影された撮影画像情報を分類するための音声処理が実行される（ステップＳ１１５）。
【００６５】
図１４は、ＣＰＵ１１によりステップＳ１１５で実行される音声処理を示すフローチャートである。以下、図１４を参照して音声処理について説明する。
【００６６】
まず、受信された新着メールに添付されている音声情報が文字情報に変換される（ステップＳ３０１）。次いで、キーワードファイル１５２が参照され、変換された文字情報をキーワードとして、このキーワードに対応する撮影計画情報の「区分」「工種」「種別」の組み合わせが判別され、記録部１５に記録されている当該工事に対応する撮影計画データファイル１５１から、判別された「区分」「工種」「種別」の組み合わせを含む撮影計画情報が検索される（ステップＳ３０２）。そして、検索された撮影計画情報にメールに添付された撮影画像情報が対応付けられ（ステップＳ３０３）、即ち、メールに添付された撮影画像情報のヘッダ領域に検索された撮影計画情報の撮影計画番号が格納され、処理は図１３のステップＳ１１９に移行する。
【００６７】
図１３において、受信された新着メールが工事の撮影に関するメールであり（ステップＳ１１２；ＹＥＳ）、かつ当該メールが音声指示による撮影画像が添付されたメールでない場合、即ち、当該メールが撮影計画情報の内容を示すメールである場合（ステップＳ１１４；ＮＯ）、記録部１５に格納されている撮影計画データファイル１５１の内容が当該撮影計画情報に基づいて更新される（ステップＳ１１６）。例えば、対応する撮影計画情報の内容がメールに添付された内容と一致しない場合は、記録部１５に格納されている撮影計画データファイル１５１の内容が、メールに添付された内容に置換される。対応する撮影計画情報が存在しない場合は、記録部１５に格納されている撮影計画データファイル１５１に追加される。
【００６８】
また、当該撮影計画情報の内容を示すメールに音声情報が添付されている場合、即ち、添付された撮影画像情報に対応する音声コメントがある場合（ステップＳ１１７；ＹＥＳ）、当該メールに添付されている音声情報が未分類音声エリア１４２に格納され（ステップＳ１１８）、処理はステップＳ１１９に移行する。
【００６９】
ステップＳ１１９において、受信されたメールに添付された撮影画像情報がＲＡＭ１４の未分類画像エリア１４１に格納される。受信された全ての新着メールについてステップＳ１１２〜１２０が繰り返し実行され、全ての新着メールについて終了すると（ステップＳ１２０；ＹＥＳ）、自動分類記録処理が実行され（ステップＳ１２１）、本処理は終了する。
【００７０】
図１５は、ＣＰＵ１１によりステップＳ１２１で実行される自動分類記録処理を示すフローチャートである。以下、図１５を参照して自動分類記録処理について説明する。
【００７１】
まず、記録部１５の画像・音声格納部１５３に、当該工事に関する撮影計画データファイル１５１の撮影画像情報格納用のフォルダ階層構造が作成されているか否かが判断され（ステップＳ３１１）、作成されていない場合には（ステップＳ３１１；ＮＯ）、撮影計画データファイル１５１の全撮影計画情報が取得され、各撮影計画情報の分類体系に合わせたフォルダ階層構造が作成される（ステップＳ３１２）。
【００７２】
図１６に、ステップＳ３１２において作成される各撮影計画情報の分類体系に合わせたフォルダ階層構造の一例を示す。図１６に示すように、画像・音声格納部１５３には、第１階層を「工事件名」のフォルダ（例えば、○○街道舗装工）、第２階層を「区分」のフォルダ（例えば、出来形管理）、第３階層を「工種」のフォルダ（例えば、舗装工）、第４階層を「種別」のフォルダ（例えば、路盤工１、路盤工２・・・）、第５階層を「撮影計画番号」のフォルダ（例えば、“００１”、“００２”、“００３”・・・）・・・とするフォルダ階層構造が作成される。
【００７３】
次いで、ＲＡＭ１４の未分類画像エリア１４１に記憶されている撮影画像情報のファイルが先頭から１ファイル分ずつアクセスされ、処理対象の撮影画像情報のファイルとして特定される（ステップＳ３１３）。次いで、特定されたファイルのヘッダ領域の撮影計画番号が読み出され（ステップＳ３１４）、当該撮影計画番号に対応するフォルダの存在の有無がチェックされる（ステップＳ３１５）。当該撮影計画番号に対応する該当するフォルダが無い場合は、この撮影計画番号を有する撮影画像情報のファイルを格納するためのフォルダが作成され（ステップＳ３１６）、対応するフォルダに撮影画像情報のファイルが格納され、未分類画像エリア１４１の当該撮影画像情報が削除される（ステップＳ３１７）。未分類画像エリア１４１に格納されている撮影画像情報の全てのファイルについてステップＳ３１３〜３１７が繰り返し実行され、全てのファイルについて終了し、未分類の撮影画像情報がなくなると（ステップＳ３１８；ＮＯ）、処理はステップＳ３１９に移行する。
【００７４】
ステップＳ３１９において、ＲＡＭ１４の未分類音声エリア１４２が先頭から１ファイル分ずつアクセスされ、処理対象の音声情報ファイルとして特定される（ステップＳ３１９）。次いで、特定されたファイルのヘッダ領域の撮影計画番号が読み出され（ステップＳ３２０）、対応するフォルダに特定された音声情報のファイルが格納され、未分類エリアの当該音声情報ファイルが削除される（ステップＳ３２１）。未分類音声エリア１４１に記憶されている音声情報の全てのファイルについてステップＳ３１９〜Ｓ３２１が繰り返し実行され、全てのファイルについて終了し、未分類の音声情報がなくなると（ステップＳ３２２；ＮＯ）、本処理は終了する。
【００７５】
なお、撮影画像情報を分類する際に、メール本文に記載されている撮影計画情報の文字情報に基づいて、撮影画像情報に対応する撮影計画情報の「区分」「工種」「種別」等を認識し、認識した情報に基づいてメールに添付された撮影画像情報を自動的に分類するようにしてもよい。
また、撮影計画情報及び撮影画像情報の分類は、パーソナルコンピュータ１により修正、編集することが可能である。
【００７６】
上述したように、撮影計画データファイル１５１は、一連の工事を構成する各作業工程を階層的に分類した階層構造の情報であり、パーソナルコンピュータ１のＣＰＵ１１は、自動分類記録処理により携帯電話機２から受信した撮影画像情報及び音声情報を分類する際に、撮影計画データファイル通りの階層構造で自動的に分類仕分けするので、使い勝手のよい画像及び音声コメントの管理が可能となるとともに、例えば、分類仕分けされた各撮影画像情報に基づいて発注元に提出するための工事記録アルバム等を作成する場合においても、作成が容易となる。
【００７７】
以上説明したように、撮影システム１００によれば、パーソナルコンピュータ１は、一連の作業工程に関する撮影計画データファイルを電子メールに添付して携帯電話機２に送信し、携帯電話機２は、パーソナルコンピュータ１から送信された撮影計画データファイルを受信して記録し、記録された撮影計画データファイルを構成する各撮影計画情報のうち何れかの撮影計画情報に従って撮影された撮影画像情報をその撮影計画情報に対応付けて記録し、この記録された撮影画像情報及び対応する撮影計画情報を電子メールに添付してパーソナルコンピュータ１に送信する。パーソナルコンピュータ１においては、受信された撮影画像情報を対応する撮影計画情報に基づいて分類して記録する。
【００７８】
従って、パーソナルコンピュータ１と携帯電話機２と撮影画像情報を始めとするデータの送受信を現在使用頻度の高い電子メールを用いて行うことができ、従来の、デジタルカメラで撮影を行っていた場合のように、データ通信ケーブルによりデジタルカメラをパーソナルコンピュータに接続する手間なく、また、専用の知識を必要とせずに、容易に撮影画像情報等のデータの送受信を行うことが可能となる。
【００７９】
また、携帯電話機２は、パーソナルコンピュータ１から送信された撮影計画データファイルに、更に撮影計画情報を追加することが可能であるので、工事の現場で突発的に生じた撮影計画情報を追加して撮影を行うことが可能となる。
【００８０】
また、撮影計画データファイル１５１は、一連の作業工程の各工程を階層的に分類した階層構造を有しており、パーソナルコンピュータ１は、一連の撮影計画情報の階層構造に基づいて、撮影画像情報を自動分類するので、撮影画像情報の分類を手作業で行う必要がなくなるとともに、撮影画像情報の管理を容易に行うことが可能となる。
【００８１】
また、携帯電話機２は、通話により指示された撮影指示の音声情報を保存し、この音声情報を再生して音声情報に基づいて撮影を行い、撮影された撮影画像情報を、その音声情報に対応付けて電子メールに添付してパーソナルコンピュータ１に送信し、パーソナルコンピュータ１は、携帯電話機２から受信された音声情報を文字変換し、その変換結果に基づいて、受信された撮影画像情報を分類する。従って、工事現場に音声通信で伝達された撮影指示に従って撮影を行うことが可能となり、また、音声による撮影指示に従って撮影された撮影画像情報を容易に分類することが可能となる。
【００８２】
また、携帯電話機２は、撮影画像情報に対応する撮影計画情報に基づいて電子メールの本文を作成するので、電子メールを受信したパーソナルコンピュータ１で電子メール読んだ人物が、電子メールに添付された撮影画像情報がどのような撮影計画情報に従って撮影されたのかを容易に認識することが可能となる。
【００８３】
また、パーソナルコンピュータ１は、カメラ付携帯端末において撮影計画情報に基づいて作成された電子メールを受信した場合に、電子メールの本文の文字情報に基づいて、電子メールに添付された撮影画像情報を分類するので、撮影画像情報の分類が容易になる。
【００８４】
なお、上記実施の形態における記述内容は、本発明に係る撮影システム１００の好適な一例であり、これに限定されるものではない。
【００８５】
例えば、上記実施の形態においては、工事の一連の作業工程を撮影する場合を例にとり説明したが、これに限定されない。例えば、送電鉄塔の保守点検結果を撮影する場合や、事故や災害の現場写真の撮影等、撮影計画に従って撮影を行う場合に本発明は適用可能である。
【００８６】
また、上記実施の形態においては、携帯電話機２で撮影を行うこととしたが、例えば、ＰＨＳ、カメラ一体型のパーソナルコンピュータ、ウェアラブルコンピュータ等でメール通信機能及び撮影機能を備えた装置であればよい。
【００８７】
また、上記実施の形態のように撮影計画情報を電子メールに添付するのではなく、電子メールの本文として携帯電話機２とパーソナルコンピュータ１との間で送受信をおこなってもよい。
その他、撮影システム１００を構成する各装置の細部構成及び細部動作に関しても、本発明の趣旨を逸脱することのない範囲で適宜変更可能である。
【図面の簡単な説明】
【００８８】
【図１】本発明に係る撮影システム１００の全体構成を示すブロック図である。
【図２】図１のパーソナルコンピュータ１の機能的構成を示すブロック図である。
【図３】図１の携帯電話機２の機能的構成を示すブロック図である。
【図４】撮影計画データファイル１５１のデータ格納例を示す図である。
【図５】図２のＣＰＵ１１により実行される撮影計画データ作成及びメール送信処理を示すフローチャートである。
【図６】撮影計画データ作成画面１３１の一例を示す図である。
【図７】図３のＣＰＵ２１により実行される撮影計画追加処理を示すフローチャートである。
【図８】図３のＣＰＵ２１により実行される撮影処理を示すフローチャートである。
【図９】工事件名一覧画面２３１及びタイトル一覧画面２３２の一例を示す図である。
【図１０】図３のＣＰＵ２１により実行される音声指示に従った撮影処理を示すフローチャートである。
【図１１】図３のＣＰＵ２１により実行されるメール作成送信処理を示すフローチャートである。
【図１２】図１１のステップＳ２４７で作成されるメール本文の一例を示す図である。
【図１３】図２のＣＰＵ１１により実行されるメール受信処理を示すフローチャートである。
【図１４】図２のＣＰＵ１１により実行される音声処理を示すフローチャートである。
【図１５】図２のＣＰＵ１１により実行される自動分類記録処理を示すフローチャートである。
【図１６】撮影計画情報の分類体系に合わせたフォルダ階層構造の一例を示す図である。
【符号の説明】
【００８９】
１００  撮影システム
１  パーソナルコンピュータ
１１  ＣＰＵ
１２  入力部
１３  表示部
１４  ＲＡＭ
１４１  未分類画像エリア
１４２  未分類音声エリア
１５  記録部
１５１  撮影計画データファイル
１５２  キーワードファイル
１５３  画像・音声格納部
１６  通信制御部
２  携帯電話機
２１  ＣＰＵ
２２  入力部
２３  表示部
２４  ＲＡＭ
２４１  現在工事番号格納エリア
２５  記録部
２５１  撮影計画データファイル
２５２  撮影画像格納部
２５３  音声コメント格納部
２５４  音声指示格納部
２６  音声入出力部
２７  撮影部
２８  通信制御部
２８１  アンテナ
【図１】
2008211837.tif 000003
【図２】
2008211837.tif 000004
【図３】
2008211837.tif 000005
【図４】
2008211837.tif 000006
【図５】
2008211837.tif 000007
【図６】
2008211837.tif 000008
【図７】
2008211837.tif 000009
【図８】
2008211837.tif 000010
【図９】
2008211837.tif 000011
【図１０】
2008211837.tif 000012
【図１１】
2008211837.tif 000013
【図１２】
2008211837.tif 000014
【図１３】
2008211837.tif 000015
【図１４】
2008211837.tif 000016
【図１５】
2008211837.tif 000017
【図１６】
2008211837.tif 000018